(57)【要約】【課題】注油後にその油が油塗布部に十分に塗布されたか否かを確認する際、当該確認を正確かつ確実に行なうことができる時計用部品、かかる時計用部品を備えるムーブメント、および、かかる時計用部品を備える時計を提供すること。【解決手段】油が塗布される油塗布部を有する第１部品と、前記第１部品の少なくとも前記油塗布部に重ねて配置される第２部品と、を備え、前記第２部品は、平面視で前記油塗布部と重なる部分に設けられ、前記油塗布部を視認するための窓部を有することを特徴とする時計用部品。【選択図】図４
2018004366.tif 000002
【特許請求の範囲】
【請求項１】
油が塗布される油塗布部を有する第１部品と、
前記第１部品の少なくとも前記油塗布部に重ねて配置される第２部品と、を備え、
前記第２部品は、平面視で前記油塗布部と重なる部分に設けられ、前記油塗布部を視認するための窓部を有することを特徴とする時計用部品。
【請求項２】
前記窓部は、前記油塗布部に対する前記油の塗布の確認に用いられる請求項１に記載の時計用部品。
【請求項３】
前記第２部品は、板状をなし、
前記窓部は、前記第２部品の厚さ方向に貫通する貫通孔で構成されている請求項１または２に記載の時計用部品。
【請求項４】
前記第２部品は、突出形成された突出部を有し、
前記窓部は、前記突出部の外周部に形成された溝で構成されている請求項１または２に記載の時計用部品。
【請求項５】
前記油は、蛍光材料が含有されたものである請求項１ないし４のいずれか１項に記載の時計用部品。
【請求項６】
前記第１部品と前記第２部品との組み合わせは、クリックばねと、前記クリックばねを回動可能に支持する地板であるか、または、輪列受と、前記輪列受に回転可能に支持される歯車である請求項１ないし５のいずれか１項に記載の時計用部品。
【請求項７】
請求項１ないし６のいずれか１項に記載の時計用部品を備えることを特徴とするムーブメント。
【請求項８】
請求項１ないし６のいずれか１項に記載の時計用部品を備えることを特徴とする時計。
【発明の詳細な説明】
【技術分野】
【０００１】
本発明は、時計用部品、ムーブメントおよび時計に関する。
【背景技術】
【０００２】
腕時計等の時計を製造する時計製造工程では、ホゾや歯車等の微小な時計用部品に対して、潤滑性および耐摩耗性を付与するために、微量の油が注油される。この油は、蛍光材料を含有したものである。そして、注油後に当該注油が行なわれたか否かを、油の発光状態に基づいて確認する検査工程がある。検査工程では、まず、時計用部品に対して注油された範囲を撮像する。次いで、撮像された画像中の油の発光状態を認識して、注油が行なわれたか否かを判断していた（例えば、特許文献１参照）。
【０００３】
しかしながら、注油しても、油の塗布箇所によっては、例えば当該油が時計用部品の陰に隠れてしまい、検査工程での画像には映らない場合があった。この場合、注油が行なわれたか否かの判断結果は、「否」となってしまうという問題があった。
【０００４】
また、塗布された油が時計用部品の陰に隠れてしまう以前に、注油が行なわれたか否かの検査を行なうことが考えられる。しかしながら、このような検査は、例えば、時計製造での検査工程を増やし、また、検査に係る人員や装置を増加させる要因となるという問題があった。
【先行技術文献】
【特許文献】
【０００５】
【特許文献１】特開２０１３−２４２２２４号公報
【発明の概要】
【発明が解決しようとする課題】
【０００６】
本発明の目的は、注油後にその油が油塗布部に十分に塗布されたか否かを確認する際、当該確認をより正確かつ確実に行なうことができる時計用部品、かかる時計用部品を備えるムーブメント、および、かかる時計用部品を備える時計を提供することにある。
【課題を解決するための手段】
【０００７】
このような目的は、下記の本発明により達成される。
本発明の時計用部品は、油が塗布される油塗布部を有する第１部品と、
前記第１部品の少なくとも前記油塗布部に重ねて配置される第２部品と、を備え、
前記第２部品は、平面視で前記油塗布部と重なる部分に設けられ、前記油塗布部を視認するための窓部を有することを特徴とする。
【０００８】
これにより、例えば注油後にその油の油塗布部への塗布が十分であるか否かを確認する作業を行なう作業者は、第２部品に設けられた窓部を介して、第１部品の油塗布部での油の存在を視認することができる。そして、この視認結果に応じて、油塗布部への油の塗布が行なわれたという確認をより正確かつ確実に行なうことができる。
【０００９】
本発明の時計用部品では、前記窓部は、前記油塗布部に対する前記油の塗布の確認に用いられるのが好ましい。
【００１０】
これにより、例えば、油が十分に塗布された状態にある油塗布部を視認や画像認識により確認することができれば、時計用部品は次の工程に移行することができるものと判断される。これとは反対に、油の塗布が不十分な状態の油塗布部を視認により確認したならば、時計用部品は注油を行なう工程に戻される。
【００１１】
本発明の時計用部品では、前記第２部品は、板状をなし、
前記窓部は、前記第２部品の厚さ方向に貫通する貫通孔で構成されているのが好ましい。
【００１２】
第１部品や第２部品を適用する時計用部品によっては、油塗布部が例えば第１部品や第２部品の陰に隠れる場合があるが、このような場合でも、窓部を介して注油確認を正確かつ確実に行なうことができる。
【００１３】
本発明の時計用部品では、前記第２部品は、突出形成された突出部を有し、
前記窓部は、前記突出部の外周部に形成された溝で構成されているのが好ましい。
【００１４】
第１部品や第２部品を適用する時計用部品によっては、油塗布部が例えば第１部品や第２部品の陰に隠れる場合があるが、このような場合でも、窓部を介して注油確認を正確かつ確実に行なうことができる。
【００１５】
本発明の時計用部品では、前記油は、蛍光材料が含有されたものであるのが好ましい。
これにより、油塗布部での油の視認性が高まり、すなわち、油が目立つものとなり、よって、油塗布部での油の確認を正確かつ確実に行なうのに寄与する。
【００１６】
本発明の時計用部品では、前記第１部品と前記第２部品との組み合わせは、クリックばねと、前記クリックばねを回動可能に支持する地板であるか、または、輪列受と、前記輪列受に回転可能に支持される歯車であるのが好ましい。
【００１７】
これにより、例えば注油後にその注油が行なわれたか否かを確認する作業を行なう作業者は、クリックばね、地板、輪列受、輪列受に回転可能に支持される歯車のいずれかに設けられた窓部を介して、油塗布部での油を容易に視認することができる。
【００１８】
本発明のムーブメントは、本発明の時計用部品を備えることを特徴とする。
これにより、確実に注油され、安定して使用可能なムーブメントが得られる。
【００１９】
本発明の時計は、本発明の時計用部品を備えることを特徴とする。
これにより、確実に注油された時計を安定して使用し続けることができる。
【図面の簡単な説明】
【００２０】
【図１】図１は、本発明の時計を腕時計に適用した場合の第１実施形態を示す斜視図である。
【図２】図２は、図１中の時計が備えるムーブメントの一部を裏側、すなわち、ムーブメントが時計に固定された際に裏蓋側から見た斜視図である。
【図３】図３は、図２中の一点鎖線で囲まれた領域［Ａ］の拡大図である。
【図４】図４は、図３中のＢ−Ｂ線断面図である。
【図５】図５は、本発明の時計（第２実施形態）が備えるムーブメントの一部を裏側から見た斜視図である。
【図６】図６は、図５中のＣ−Ｃ線断面図である。
【図７】図７は、本発明の時計（第３実施形態）が備えるムーブメントの一部を裏側から見た斜視図である。
【図８】図８は、図７中のＤ−Ｄ線断面図である。
【図９】図９は、本発明の時計（第４実施形態）が備えるムーブメントの一部を裏側から見た斜視図である。
【図１０】図１０は、図９中の一点鎖線で囲まれた領域［Ｅ］の拡大図である。
【図１１】図１１は、図１０中のＦ−Ｆ線断面図である。
【図１２】図１２は、本発明の時計（第５実施形態）が備えるムーブメントの一部を裏側から見た斜視図である。
【発明を実施するための形態】
【００２１】
以下、本発明の時計用部品、ムーブメントおよび時計を添付図面に示す好適な実施形態に基づいて詳細に説明する。
【００２２】
＜第１実施形態＞
図１は、本発明の時計を腕時計に適用した場合の第１実施形態を示す斜視図である。図２は、図１中の時計が備えるムーブメントの一部を裏側、すなわち、ムーブメントが時計に固定された際に裏蓋側から見た斜視図である。図３は、図２中の一点鎖線で囲まれた領域［Ａ］の拡大図である。図４は、図３中のＢ−Ｂ線断面図である。なお、以下では、説明の都合上、腕時計の時刻が表示される側（カバーガラス側）を「表」、腕に装着される側（裏蓋側）を「裏」と言う。従って、図１の上側を「表」、下側を「裏」と言う。また、図２および図３中（図５、図７、図９および図１０についても同様）の紙面奥側を「表」、紙面手前側を「裏」と言う。また、図４中（図６、図８および図１１についても同様）の下側を「表」、上側を「裏」と言う。
【００２３】
本発明の時計用部品は、油ＯＬが塗布される油塗布部８を有する第１部品と、第１部品の少なくとも油塗布部８に重ねて配置される第２部品と、を備え、これら部品同士を組み立てた組立体である。そして、第２部品は、平面視で油塗布部８と重なる部分に設けられ、油塗布部８を視認するための窓部６を有する。
【００２４】
また、第１部品と第２部品との組み合わせは、例えば、クリックばね２と、クリックばね２を回動可能に支持する地板３であるか、または、輪列受７と、輪列受７に回転可能に支持される歯車９５１等である。なお、本実施形態では、第１部品がクリックばね２であり、第２部品が地板３である。
【００２５】
このような本発明によれば、後述するように、例えば注油後にその油ＯＬの油塗布部８への塗布が十分であるか否かを確認する作業を行なう作業者ＷＫは、地板３に設けられた窓部６を介して、クリックばね２の油塗布部８での油ＯＬの存在を視認することができる。そして、この視認結果に応じて、油塗布部８への油ＯＬの塗布が行なわれたという確認を正確かつ確実に行なうことができる。
【００２６】
本発明のムーブメント１０は、本発明の時計用部品を備える。これにより、確実に注油された信頼性の高いムーブメント１０が得られる。
【００２７】
また、本発明の時計１は、本実施形態では腕時計に適用されており、本発明の時計用部品を備える。これにより、確実に注油された信頼性の高い時計１が得られ、その時計１を安定して使い続けることができる。
【００２８】
以下、各部の構成について説明する。
図１に示す時計１は、胴（ケース）１１と、裏蓋１３と、カバーガラス（風防）１５と、バンド１６とを備えている。また、時計１の内部空間、すなわち、胴１１と裏蓋１３とカバーガラス１５とで囲まれた空間には、ムーブメント１０や文字板１４等が収納されている。
【００２９】
ムーブメント１０には、時針１０１、分針１０２、秒針１０３が回転可能に支持されており、ムーブメント１０とともに時計１内に収納されている。また、胴１１の外周部には、巻真９２を介してムーブメント１０に連結されたりゅうず１２が時計１の外側に引出可能に挿入されている。このりゅうず１２を１段位置に引き出すと、時計１が時刻修正モードに設定され、図示しない別途設けられたスイッチを押下操作することにより時針１０１および分針１０２の位置を調整することができる。なお、りゅうず１２を回転可能に挿入し、このりゅうず１２を１段位置に引き出し、かつ、回転操作することにより、その回転力がムーブメント１０に伝達されて、時針１０１および分針１０２の位置を調整することができるようにしてもよい。
【００３０】
図２に示すように、ムーブメント１０は、代表的な部品として、クリックばね２と、地板３と、オシドリ４と、巻真９２と、モーターコイル９３と、モーターコイル９４と、複数枚の歯車（番車）９５１で構成された歯車群９５と、電波受信用アンテナ９６とを有し、これらの部品とその他多数の部品とを組み立ててなるものである。また、ムーブメント１０は、ボタン電池１７が設置されるボタン電池設置部９１も有している。ボタン電池１７は、１次電池であってもよいし、充電可能な２次電池であってもよい。
【００３１】
地板３は、ムーブメント１０を構成するクリックばね２等の部品を支持する部材である。図２に示すように、地板３は、円盤状をなす円盤部３１と、円盤部３１から突出形成された軸３２および軸３３とを有している。
【００３２】
円盤部３１は、その外周部が胴１１の内周部に支持、固定されている。これにより、ムーブメント１０は、時計１内で安定して内蔵された状態となる。
【００３３】
軸３２は、円盤部３１から裏側に向かって円柱状に突出した突出部である。この軸３２は、クリックばね２を回動可能に支持することができる。
【００３４】
軸３３は、軸３２と異なる位置、すなわち、本実施形態では軸３２よりも円盤部３１の外周側に配置され、円盤部３１から裏側に向かって円柱状に突出した突出部である。この軸３３は、オシドリ４を回動可能に支持することができる。
【００３５】
なお、軸３２および軸３３は、円盤部３１と一体的に形成されたものであってもよいし、円盤部３１と別体で構成され、当該別体を円盤部３１に接合したものであってもよい。
【００３６】
オシドリ４は、小片で構成され、その中央部に軸３３が挿入される貫通孔４１が形成されている。これにより、オシドリ４は、軸３３回りに回動することができる。
【００３７】
また、図３に示すように、オシドリ４の一端部には、巻真９２の長手方向の途中に形成された縮径部９２１に係合する係合部４２が設けられている。これにより、オシドリ４は、巻真９２が長手方向に沿って移動操作された際、その移動に連動して、軸３３を中心に回動することができる。
【００３８】
オシドリ４の係合部４２と反対側の他端部には、クリックばね２と係合する係合部４３が設けられている。
【００３９】
クリックばね２は、全体として長尺な板状をなし、その長手方向の中央部に位置する基部２１と、基部２１の両側からそれぞれ延出したアーム部２２およびアーム部２３とを有している。
【００４０】
基部２１には、軸３２が挿入される貫通孔２１１が形成されている。これにより、クリックばね２は、軸３２回りに回動することができる。
【００４１】
アーム部２２には、オシドリ４に臨む部分に溝２２１、溝２２２、溝２２３が形成されている。そして、オシドリ４の係合部４３は、溝２２１、溝２２２、溝２２３のうちのいずれかと係合することができる。これにより、りゅうず１２の押込み時および引き出し時に、オシドリ４の位置を規制し、巻真９２の位置、すなわち、りゅうず１２の位置を、０段位置、１段位置、２段位置に規制するとともに、時計１の使用者にクリック感を与えることができる。なお、オシドリ４の係合部４３は、りゅうず１２が０段位置にあるときには溝２２１と係合し、りゅうず１２が１段位置にあるときには溝２２２と係合し、りゅうず１２が２段位置にあるときには溝２２３と係合する。
【００４２】
アーム部２３は、アーム部２２がオシドリ４の係合部４３に係合する方向に付勢する付勢部となっている。
【００４３】
さて、ムーブメント１０を構成する部品同士が互いに摺動し合う場合、時計１を製造する製造過程では、その摺動部に潤滑性と耐摩耗性とを付与するために油ＯＬが注油される。本実施形態では、摺動し合う部品同士として、クリックばね２と地板３とを代表的に挙げて説明する。
【００４４】
油ＯＬとしては、特に限定されないが、例えば、ポリαオレフィン系油（シチズン時計社製、ＡＯシリーズ）、アルキル−アリルオキシジブチレングリコール（Alkyl-Aryloxidibutylenglycoles）（MOEBIUS社製、MOEBIUS SYNT-LUBE）等が挙げられる。
【００４５】
また、油ＯＬは、蛍光材料が含有されたものであるのが好ましい。これにより、後述する油塗布部８での油ＯＬの視認性が高まり、すなわち、油ＯＬが目立つものとなり、よって、窓部６を介して注油確認を正確かつ確実に行なうのに寄与する。蛍光材料としては、蛍光染料、有機蛍光顔料、無機蛍光顔料が挙げられる。蛍光材料は、時計用部品に対して油ＯＬを注油する本来の目的が損なわれない範囲で、かつ、油ＯＬ中に均一に分散する程度に添加される。注油確認は、紫外線を照射して油塗布部８を発光させた状態で、作業者が目視で行ってもよいし、撮像装置により撮像して、撮像した画像を画像認識装置に画像認識処理させることにより行ってもよい。
【００４６】
注油方式としては、特に限定されないが、例えば、インクジェット式注油、オバマ式注油、注射針式注油、スタンプ式注油等が挙げられる。
【００４７】
前述したように、クリックばね２は、地板３の軸３２回りに回動することができる。そして、クリックばね２と地板３とが接し合う部分同士が、回動時に摺動する摺動部となっている。図４に示すように、軸３２の外周面３２１と貫通孔２１１の内周面２１２との間の微小な隙間を、油ＯＬが注入される油注入部５として用いると、当該油注入部５から注入された油ＯＬは、毛細管現象によって吸い込まれ、軸３２の周囲から面方向に濡れ広がっていく、すなわち、図４中の左右方向や紙面手前側と奥側とに濡れ広がっていく。これにより、前記摺動部での潤滑性および耐摩耗性が向上する。
【００４８】
クリックばね２（第１部品）では、油ＯＬが前記のように濡れ広がった部分が、油ＯＬが塗布される油塗布部８となる。
【００４９】
また、地板３（第２部品）は、クリックばね２上で少なくとも油塗布部８に重ねて配置されている。そして、平面視で油塗布部８と重なる部分には、油塗布部８の一部（または全部）を視認するための窓部６が設けられている。
【００５０】
図４に示すように、軸３２の外周面３２１には、当該軸３２の中心線方向に沿った溝（凹部）３２２が１つ形成されている。この溝３２２は、前記窓部６として機能する。なお、窓部６の形状や平面視での面積等は、例えば、軸３２の突出高さや太さ（外径）等の諸条件によって決定される。また、溝３２２の形成数は、本実施形態では１つであるが、これに限定されず、例えば、複数であってもよい。
【００５１】
時計１の製造過程の途中では、注油後にその油ＯＬの油塗布部８への塗布が十分であるか否かを確認する検査工程が行なわれる。検査工程では、窓部６は、油塗布部８に対する油ＯＬの塗布（塗布状態）の確認に用いられる。例えば検査工程を担当する作業者ＷＫが窓部６を覗き込むと、その視線ＬＳの先には、油ＯＬが十分に塗布された状態にある油塗布部８か、または、油ＯＬの塗布が不十分な状態の油塗布部８が存在している。そして、この視認結果に応じて、油塗布部８への油ＯＬの塗布が行なわれたという確認を正確かつ確実に行なうことができる。これにより、検査効率が向上することとなる。例えば、油ＯＬが十分に塗布された状態にある油塗布部８を作業者ＷＫが視認により確認することができれば、ムーブメント１０（時計用部品）は次の工程に移行することができるものと判断される。これとは反対に、油ＯＬの塗布が不十分な状態の油塗布部８を作業者ＷＫが視認により確認したならば、ムーブメント１０は注油を行なう工程に戻される。
【００５２】
前述したように、地板３（第２部品）は、円柱状に突出形成された突出部である軸３２を有している。そして、窓部６は、軸３２（突出部）の外周部に形成された溝３２２で構成されている。このような構成により、油塗布部８がクリックばね２や地板３の陰に隠れていたとしても、前記のように注油確認を正確かつ確実に行なうことができる。
【００５３】
＜第２実施形態＞
図５は、本発明の時計（第２実施形態）が備えるムーブメントの一部を裏側から見た斜視図である。図６は、図５中のＣ−Ｃ線断面図である。
【００５４】
以下、これらの図を参照して本発明の時計用部品、ムーブメントおよび時計の第２実施形態について説明するが、前述した実施形態との相違点を中心に説明し、同様の事項はその説明を省略する。
本実施形態は、窓部の配置箇所が前記第１実施形態と異なる。
【００５５】
前記第１実施形態でも述べたように、本発明の時計用部品は、油ＯＬが塗布される油塗布部８を有する第１部品と、第１部品の少なくとも油塗布部８に重ねて配置される第２部品と、を備えている。そして、第１部品と第２部品との組み合わせは、例えば、クリックばね２と、クリックばね２を回動可能に支持する地板３であるか、または、輪列受７と、輪列受７に回転可能に支持される歯車９５１等である。図５に示す本実施形態では、第１部品が地板３であり、第２部品がクリックばね２である。これにより、作業者ＷＫは、クリックばね２に設けられた窓部６を介して、地板３の油塗布部８での油ＯＬの存在を視認することができる。そして、この視認結果に応じて、油塗布部８への油ＯＬの塗布が行なわれたという確認をより正確かつ確実に行なうことができる。
【００５６】
前述したように、第２部品であるクリックばね２は、全体として長尺な板状をなし、地板３の軸３２が挿入される貫通孔２１１が形成されている。図６に示すように、貫通孔２１１の縁部（内周面２１２）には、貫通孔２１１に連通し、貫通孔２１１と同様にクリックばね２（第２部品）の厚さ方向に貫通する貫通孔２１３が形成されている。本実施形態では、窓部６は、貫通孔２１３で構成されている。このような構成は、窓部６を設け易い部品が地板３よりもクリックばね２である場合に有効である。
【００５７】
なお、図５に示すように、窓部６を構成する貫通孔２１３は、平面視で貫通孔２１１よりも小さい半円状をなすものであるが、大きさや形状は図示の構成に限定されるものではない。また、窓部６を構成する貫通孔２１３の形成数は、本実施形態では１つであるが、これに限定されず、例えば、複数であってもよい。
【００５８】
＜第３実施形態＞
図７は、本発明の時計（第３実施形態）が備えるムーブメントの一部を裏側から見た斜視図である。図８は、図７中のＤ−Ｄ線断面図である。
【００５９】
以下、これらの図を参照して本発明の時計用部品、ムーブメントおよび時計の第３実施形態について説明するが、前述した実施形態との相違点を中心に説明し、同様の事項はその説明を省略する。
本実施形態は、窓部の配置箇所が前記第１実施形態と異なる。
【００６０】
前記第１実施形態でも述べたように、本発明の時計用部品は、油ＯＬが塗布される油塗布部８を有する第１部品と、第１部品の少なくとも油塗布部８に重ねて配置される第２部品と、を備えている。図７に示す本実施形態では、第１部品は、オシドリ４であり、第２部品は、オシドリ４に重ねて配置されたスイッチレバー１８である。これにより、作業者ＷＫは、スイッチレバー１８に設けられた窓部６を介して、オシドリ４の油塗布部８での油ＯＬの存在を視認することができる。そして、この視認結果に応じて、油塗布部８への油ＯＬの塗布が行なわれたという確認を正確かつ確実に行なうことができる。
【００６１】
なお、スイッチレバー１８は、オシドリ４に固定されており、オシドリ４と一体で軸３３を中心に回転する。スイッチレバー１８の先端部１８２は、図７中の紙面手前側に突出した突出部１８３を有しており、当該突出部１８３が、図示しない回路基板に設けられた電極層と接触する。電極層は、異なる位置に設けられた３つの電極を備え、巻真９２が異なる位置にあるとき、スイッチレバー１８の先端部１８２（突出部１８３）は、それぞれ異なる電極に接触して導通する。このため、先端部１８２がどの電極と接触しているかを検出することで、巻真９２の位置、すなわち、りゅうず１２の位置が、０段位置、１段位置、２段位置のいずれであるかを検出することができる。
【００６２】
図８に示すように、第２部品であるスイッチレバー１８は、板状をなし、油塗布部８に臨む部分に、スイッチレバー１８（第２部品）の厚さ方向に貫通する貫通孔１８１が成形されている。窓部６は、この貫通孔１８１で構成されている。これにより、油塗布部８での油ＯＬの存在を窓部６を介して視認することができ、よって、油塗布部８への油ＯＬの塗布が行なわれたという確認をより正確かつ確実に行なうことができる。
【００６３】
＜第４実施形態＞
図９は、本発明の時計（第４実施形態）が備えるムーブメントの一部を裏側から見た斜視図である。図１０は、図９中の一点鎖線で囲まれた領域［Ｅ］の拡大図である。図１１は、図１０中のＦ−Ｆ線断面図である。
【００６４】
以下、これらの図を参照して本発明の時計用部品、ムーブメントおよび時計の第４実施形態について説明するが、前述した実施形態との相違点を中心に説明し、同様の事項はその説明を省略する。
本実施形態は、窓部の配置箇所が前記第１実施形態と異なる。
【００６５】
前記第１実施形態でも述べたように、本発明の時計用部品は、油ＯＬが塗布される油塗布部８を有する第１部品と、第１部品の少なくとも油塗布部８に重ねて配置される第２部品と、を備えている。そして、第１部品と第２部品との組み合わせは、例えばクリックばね２と、クリックばね２を回動可能に支持する地板３であるか、または、輪列受７と、輪列受７に回転可能に支持される歯車９５１等である。本実施形態では、第１部品は歯車９５１であり、第２部品が輪列受７である。これにより、作業者ＷＫは、輪列受７に設けられた窓部６を介して、歯車９５１の油塗布部８での油ＯＬの存在を視認することができる。そして、この視認結果に応じて、油塗布部８への油ＯＬの塗布が行なわれたという確認を正確かつ確実に行なうことができる。なお、第１部品が輪列受７であり、第２部品が歯車９５１であってもよい。
【００６６】
図９に示すように、ムーブメント１０は、代表的な部品として、地板３と、輪列受７と、巻真９２と、モーターコイル９３と、複数枚の歯車９５１で構成された歯車群９５とを有し、これらの部品とその他多数の部品とを組み立ててなるものである。また、ムーブメント１０は、ボタン電池１７が設置されるボタン電池設置部９１も有している。ボタン電池１７は、第１実施形態と同様に、１次電池であってもよいし、充電可能な２次電池であってもよい。
【００６７】
輪列受７は、地板３の円盤部３１に対して固定されている。この輪列受７は、各歯車９５１を回転可能に支持したり、各歯車９５１の位置決めをしたりする時計用部品である。
【００６８】
また、図１０に示すように、輪列受７の板状をなす裏板７１には、凹部７２が形成されている。図１１に示すように、凹部７２の底部７２１の中央部には、貫通孔７３が形成されており、歯車９５１の軸９５２が回動可能に支持されている。このように底部７２１は、軸受けとしての機能を有している。なお、軸受けとしての機能する部分は、本実施形態では輪列受７と一体的に形成されているが、輪列受７と別体で構成され、当該別体を輪列受７に圧入したものであってもよい。
【００６９】
輪列受７と歯車９５１との間では、互いに接し合う部分同士が、歯車９５１の回転時に摺動する摺動部となっている。そして、図１１に示すように、貫通孔７３の内周面７３１と軸９５２の外周面９５３との間の微小な隙間を、油ＯＬが注入される油注入部５として用いると、当該注入された油ＯＬは、毛細管現象によって吸い込まれ、軸９５２の周囲から面方向に濡れ広がっていく、すなわち、図１１中の左右方向や紙面手前側と奥側とに濡れ広がっていく。これにより、前記摺動部での潤滑性および耐摩耗性が向上する。
【００７０】
歯車９５１では、油ＯＬが前記のように濡れ広がった部分が、油ＯＬが塗布される油塗布部８となる。
【００７１】
前述したように、第２部品である輪列受７の裏板７１は、板状をなし、歯車９５１の軸９５２が挿入される貫通孔７３が形成されている。図１１に示すように、貫通孔７３の縁部（内周面７３１）には、貫通孔７３に連通し、貫通孔７３と同様に裏板７１（第２部品）の厚さ方向に貫通する貫通孔７４が形成されている。本実施形態では、窓部６は、この貫通孔７４で構成されている。このような構成は、窓部６を設け易い部品が歯車９５１よりも輪列受７である場合に有効である。
【００７２】
＜第５実施形態＞
図１２は、本発明の時計（第５実施形態）が備えるムーブメントの一部を裏側から見た斜視図である。
【００７３】
以下、この図を参照して本発明の時計用部品、ムーブメントおよび時計の第４実施形態について説明するが、前述した実施形態との相違点を中心に説明し、同様の事項はその説明を省略する。
本実施形態は、輪列受の構成が前記第４実施形態と異なる。
【００７４】
図１２に示すように、本実施形態では、輪列受７に窓部６Ａと窓部６Ｂとが設けられている。この輪列受７は、前記第４実施形態と同様に、貫通孔７３で歯車９５１の軸９５２を回動可能に支持している。そして、貫通孔７３と軸９５２との間の微小な隙間を、油ＯＬが注入される油注入部５として用いることができる。油注入部５には、注油の痕跡として、油ＯＬが微量ながらもにじんで視認可能に残っている場合がある。作業者ＷＫは、このにじんだ油ＯＬを視認することができれば、油注入部５への注油が行なわれたことを確認することができる。
【００７５】
また、本実施形態は、前記第１実施形態と同様に、地板３に窓部６（以下この窓部６を「窓部６Ｃ」と言う）が設けられている。そして、窓部６Ａは、平面視で窓部６Ｃと重なる位置に配置されており、窓部６Ｃを包含する程度の大きさを有している。
【００７６】
さらに、本実施形態は、前記第３実施形態と同様に、スイッチレバー１８に窓部６（以下この窓部６を「窓部６Ｄ」と言う）が設けられている。そして、窓部６Ｂは、平面視で窓部６Ｄと重なる位置に配置されており、窓部６Ｄを包含する程度の大きさを有している。
【００７７】
以上のような輪列受７により、輪列受７を組み込んだ後に、窓部６Ａと窓部６Ｃとを介して、その先にある油塗布部８への油ＯＬの塗布状態を確認することができるとともに、窓部６Ｂと窓部６Ｄとを介して、その先にある油塗布部８への油ＯＬの塗布状態を確認することができる。なお、各油塗布部８への油ＯＬの塗布は、輪列受７を組み込む前に既に行われている。また、前述したように、輪列受７における油注入部５への注油が行なわれたことを確認することができる。
【００７８】
従って、本実施形態では、上記各確認を一括して行なうことができ、よって、注油が行なわれたか否かの検査効率の向上を図ることができる。
【００７９】
以上、本発明の時計用部品、ムーブメントおよび時計を図示の実施形態について説明したが、本発明は、これに限定されるものではなく、時計用部品、ムーブメントおよび時計を構成する各部は、同様の機能を発揮し得る任意の構成のものと置換することができる。また、任意の構成物が付加されていてもよい。
【００８０】
また、本発明の時計用部品、ムーブメントおよび時計は、前記各実施形態のうちの、任意の２以上の構成（特徴）を組み合わせたものであってもよい。
【００８１】
また、本発明の時計用部品が適用されるものとしては、クリックばね、クリックばねを回動可能に支持する地板、輪列受、輪列受に回転可能に支持される歯車のうちのいずれかであったが、これらに部品に限定されないのは言うまでもない。
【００８２】
また、注油後にその注油が行なわれたか否かの確認は、前記各実施形態では作業者の目視により行なわれているが、これに限定されず、画像を撮像する撮像装置を用いて行なわれてもよい。
【符号の説明】
【００８３】
１…時計、２…クリックばね、２１…基部、２１１…貫通孔、２１２…内周面、２１３…貫通孔、２２…アーム部、２２１…溝、２２２…溝、２２３…溝、２３…アーム部、２４…軸、３…地板、３１…円盤部、３２…軸、３２１…外周面、３２２…溝（凹部）、３３…軸、４…オシドリ、４１…貫通孔、４２…係合部、４３…係合部、４４…軸、５…油注入部、６、６Ａ、６Ｂ、６Ｃ、６Ｄ…窓部、７…輪列受、７１…裏板、７２…凹部、７２１…底部、７３…貫通孔、７３１…内周面、７４…貫通孔、８…油塗布部、９１…ボタン電池設置部、９２…巻真、９２１…縮径部、９３…モーターコイル、９４…モーターコイル、９５…歯車群、９５１…歯車（番車）、９５２…軸、９５３…外周面、９６…電波受信用アンテナ、１０…ムーブメント、１０１…時針、１０２…分針、１０３…秒針、１１…胴（ケース）、１２…りゅうず、１３…裏蓋、１４…文字板、１５…カバーガラス（風防）、１６…バンド、１７…ボタン電池、１８…スイッチレバー、１８１…貫通孔、１８２…先端部、ＬＳ…視線、ＯＬ…油、ＷＫ…作業者
【図１】
2018004366.tif 000003
【図２】
2018004366.tif 000004
【図３】
2018004366.tif 000005
【図４】
2018004366.tif 000006
【図５】
2018004366.tif 000007
【図６】
2018004366.tif 000008
【図７】
2018004366.tif 000009
【図８】
2018004366.tif 000010
【図９】
2018004366.tif 000011
【図１０】
2018004366.tif 000012
【図１１】
2018004366.tif 000013
【図１２】
2018004366.tif 000014